(57)【要約】【課題】シートクッション２０とセンターコンソールとの隙間の広狭に拘わらず、しっかりとシートクッション２０の側部に設置できるシートサイドポケット１０，３０，４０を提供することを目的とする。【解決手段】ポケット本体１１に組み付けた掛止フレーム１２のフック片１２ｄの掛止溝１２ｆをシートサイドシールドフレーム２１の屈曲した上端部２１ａに掛止する。掛止フレーム１２は可撓性を有するプラスチック材で成形されるとともに、両アーム片１２ｃが垂下片１２ａの裏側（シートクッション側）へ偏奇するように湾曲し、両脚片１２ｅも垂下片１２ａの裏側（シートクッション側）へ偏奇するように傾斜しているので、垂下片１２ａ及び両脚片１２ｅがシートサイドシールドフレーム２１の表面に弾力的に圧接し、シートサイドポケット１０がシートクッション２０の側部に設置される。【選択図】図１
2019026065.tif 000002
【特許請求の範囲】
【請求項１】
車両用シートのシートクッションの側部に設置して小物を収納するシートサイドポケットであって、
上面に小物を出し入れする開口を有し、底部又は底部近辺に差し込み片を垂設したポケット本体を備え、
シートクッションの側面の下部を覆い隠すようにシートクッションに組み付けられているシートサイドシールドフレームの上端部とシートクッションの側面との間に差し込み片を差し込んでポケット本体をシートクッションの側部に設置するようにしたことを特徴とするシートサイドポケット。
【請求項２】
車両用シートのシートクッションの側部に設置して小物を収納するシートサイドポケットであって、
上面に小物を出し入れする開口を有し、底部又は底部近辺に掛止フレームを備え、
シートクッションの側面の下部を覆い隠すようにシートクッションに組み付けられているシートサイドシールドフレームの上端部に掛止フレームを掛止してポケット本体をシートサイドシールドフレームに着脱可能に取り付けるようにしたことを特徴とするシートサイドポケット。
【請求項３】
車両用シートのシートクッションの側部に設置して小物を収納するシートサイドポケットであって、
上面に小物を出し入れする開口を有するポケット本体と、ポケット本体の底部又は底部近辺に設けた可撓性を有する掛止フレームを備え、
掛止フレームがポケット本体の底部に垂設した垂下片と、垂下片の上部から前後方向に延びる２本のアーム片と、各アーム片の先端部から下方へ屈曲するフック片とを備え、
シートクッションの側面の下部を覆い隠すようにシートクッションに組み付けられているシートサイドシールドフレームの上端部にフック片を掛止するとともに、垂下片をシートサイドシールドフレームの側面の表面に圧接することにより、
ポケット本体をシートサイドシールドフレームに着脱可能に取り付けるようにしたことを特徴とするシートサイドポケット。
【請求項４】
前記掛止フレームを前記ポケット本体の底部に着脱可能に設けたことを特徴とする請求項２又は請求項３に記載のシートサイドポケット。
【請求項５】
前記垂下片の下部に前後方向に延びる２本の脚片を設け、垂下片とともにシートサイドシールドフレームの側面の表面に弾力的に圧接するようにしたことを特徴とする請求項３に記載のシートサイドポケット。
【発明の詳細な説明】
【技術分野】
【０００１】
本発明は車両用シートのシートクッションの側部に設置して小物を収納するシートサイドポケットに関する。
【背景技術】
【０００２】
この種のシートサイドポケットの一形式として、実用新案登録第３２０２８９９号公報には、可撓性材料から成り、上面に小物が挿入される開口を有し、底部に向けて先細りになるポケット本体を備えたシートサイドポケットが開示されている。このシートサイドポケットのポケット本体はシートクッションとセンターコンソールとの間の隙間に押し込んで、シートクッションの側部に設置される。
【先行技術文献】
【特許文献】
【０００３】
【特許文献１】実用新案登録第３２０２８９９号公報
【発明の概要】
【発明が解決しようとする課題】
【０００４】
上記した従来のシートサイドポケットはシートクッションとセンターコンソールの間の隙間に押し込んで設置するが、この隙間の幅は車種によって異なる。シートサイドポケットのポケット本体の幅に比べ隙間が狭すぎると、ポケット本体を隙間に押し込めず、あるいは、十分な深さで押し込めない。ポケット本体を隙間に押し込む深さが浅いと、ポケット本体が車両走行時の振動で動いたり、隙間から外れるおそれがある。
同様に、隙間が広すぎる場合、ポケット本体がシートクッションの側部とセンターコンソールでしっかりと挟持されないので、車両走行時の振動で動いたり、隙間から外れるおそれがある。
本発明はかかる問題点に鑑み、シートクッションとセンターコンソールとの隙間の広狭に拘わらず、しっかりとシートクッションの側部に設置できるシートサイドポケットを提供することを目的とする。
【課題を解決するための手段】
【０００５】
請求項１に記載の発明は、車両用シートのシートクッションの側部に設置して小物を収納するシートサイドポケットであって、
上面に小物を出し入れする開口を有し、底部又は底部近辺に差し込み片を垂設したポケット本体を備え、
シートクッションの側面の下部を覆い隠すようにシートクッションに組み付けられているシートサイドシールドフレームの上端部とシートクッションの側面との間に差し込み片を差し込んでポケット本体をシートクッションの側部に設置するようにしたことを特徴とする。
【０００６】
請求項２に記載の発明は、車両用シートのシートクッションの側部に設置して小物を収納するシートサイドポケットであって、
上面に小物を出し入れする開口を有し、底部又は底部近辺に掛止フレームを備え、
シートクッションの側面の下部を覆い隠すようにシートクッションに組み付けられているシートサイドシールドフレームの上端部に掛止フレームを掛止してポケット本体をシートサイドシールドフレームに着脱可能に取り付けるようにしたことを特徴とする。
【０００７】
請求項３に記載の発明は、車両用シートのシートクッションの側部に設置して小物を収納するシートサイドポケットであって、
上面に小物を出し入れする開口を有するポケット本体と、ポケット本体の底部又は底部近辺に設けた可撓性を有する掛止フレームを備え、
掛止フレームがポケット本体の底部に垂設した垂下片と、垂下片の上部から前後方向に延びる２本のアーム片と、各アーム片の先端部から下方へ屈曲するフック片とを備え、
シートクッションの側面の下部を覆い隠すようにシートクッションに組み付けられているシートサイドシールドフレームの上端部にフック片を掛止するとともに、垂下片をシートサイドシールドフレームの側面の表面に圧接することにより、
ポケット本体をシートサイドシールドフレームに着脱可能に取り付けるようにしたことを特徴とする。
【０００８】
請求項４に記載の発明は、請求項２又は請求項３に記載のシートサイドポケットにおいて、
前記掛止フレームを前記ポケット本体の底部に着脱可能に設けたことを特徴とする。
【０００９】
請求項５に記載の発明は、請求項３に記載のシートサイドポケットにおいて、
前記垂下片の下部に前後方向に延びる２本の脚片を設け、垂下片とともにシートサイドシールドフレームの側面の表面に弾力的に圧接するようにしたことを特徴とする。
【発明の効果】
【００１０】
請求項１に記載の発明によれば、シートクッションの側面とセンターコンソールの間の隙間にポケット本体を押し込んで設置するものではなく、シートサイドシールドフレームの上端部とシートクッションの側面との間に差し込み片を差し込んでポケット本体をシートクッションの側部に設置するので、隙間の幅の広狭に拘わらず、ポケット本体をしっかりとシートクッションの側部に設置できる。
【００１１】
請求項２に記載の発明によれば、シートクッションの側面とセンターコンソールの間の隙間にポケット本体を押し込んで設置するものではなく、シートサイドシールドフレームの上端部に掛止フレームを掛止してポケット本体をシートサイドシールドフレームに着脱可能に取り付けるので、隙間の幅の広狭に拘わらず、ポケット本体をしっかりとシートクッションの側部に設置できる。
【００１２】
請求項３に記載の発明によれば、ポケット本体の底部に設けた掛止フレームのフック片をシートサイドシールドフレームの上端部に掛止することにより、ポケット本体をシートサイドシールドフレームに着脱可能に取り付けることができる。フック片をシートサイドシールドフレームの上端部に掛止すると、可撓性を有する垂下片がシートサイドシールドフレームの表面に弾力的に圧接するので、車両走行時の振動が加わってもポケット本体は動かない。
本発明に係るシートサイドポケットは、シートクッションの側面とセンターコンソールの間の隙間にポケット本体を押し込んで設置するものではなく、掛止フレームでシートサイドシールドフレームにポケット本体を取り付けるので、隙間の幅の広狭に拘わらず、ポケット本体をしっかりとシートクッションの側部に設置できる。
【００１３】
請求項４に記載の発明によれば、シートサイドポケットを使用しないとき、シートサイドシールドフレームから取り外し、ポケット本体と掛止フレームを分離すれば、嵩張らないので、グローブボックス等に収納して保管し易く、使い勝手が良い。
【００１４】
請求項５に記載の発明によれば、垂下片に加えて２本の脚片がシートサイドシールドフレームに圧接するので、しっかりと掛止フレームをシートサイドシールドフレームに取り付けることができる。
【図面の簡単な説明】
【００１５】
【図１】本発明の第１実施例に係るシートサイドポケットを示す斜視図である。
【図２】本発明の第１実施例に係るシートサイドポケットを示す分解斜視図である。
【図３】本発明の第１実施例に係るシートサイドポケットを示す分解斜視図である。
【図４】図５の４−４線から切断した部分拡大断面図である。
【図５】シートクッションの側部に設置した本発明の第１実施例に係るシートサイドポケットを示す斜視図である。
【図６】本発明の第２実施例に係るシートサイドポケットを示す斜視図である。
【図７】シートクッションの側部に設置した本発明の第２実施例に係るシートサイドポケットを示す斜視図である。
【図８】本発明の第３実施例に係るシートサイドポケットを示す斜視図である。
【図９】図１０の９−９線から切断した断面図である。
【図１０】シートクッションの側部に設置した本発明の第３実施例に係るシートサイドポケットを示す斜視図である。
【図１１】本発明の第３実施例に係るシートサイドポケットの差し込み片の変形例を示す断面図である。
【実施例１】
【００１６】
以下に本発明を図面に基づき説明する。図１〜図３には本発明の第１実施例に係るシートサイドポケット１０が示されている。当該シートサイドポケット１０は、ポケット本体１１と、ポケット本体１１の底部１１ａに垂設した掛止フレーム１２を備えている。ポケット本体１１はプラスチック成型品で、上面に小物を出し入れする開口１１ｂを有する箱型に成形されている。ポケット本体１１の底部１１ａには係合溝１１ｃを形成する一対の係合凸片１１ｄが設けられている。
【００１７】
掛止フレーム１２はプラスチック成型品で可撓性を有し、垂下片１２ａと、垂下片１２ａの上端部に裏側へ屈曲するように設けた係合片１２ｂと、垂下片１２ａの上部から前後方向へ延びる２本のアーム片１２ｃと、各アーム片１２ｃの先端部から下方へ屈曲するように設けたフック片１２ｄ及び垂下片１２ａの下端部から前後方向へ延びる２本の脚片１２ｅを備えている。掛止フレーム１２は係合片１２ｂを係合溝１１ｃに嵌合することにより、ポケット本体１１の底部１１ａに着脱可能に取り付けられている。
【００１８】
２本のアーム片１２ｃは垂下片１２ａに対し、フック片１２ｄが垂下片１２ａの裏側へ偏奇するように弓型に湾曲している。各フック片１２ｄの表面には掛止溝１２ｆが形成されている。２本の脚片１２ｅは垂下片１２ａに対し、下端部が垂下片１２ａの裏側へ偏奇するように傾斜している。また、脚片１２ｅの下端部の裏面にはフェルト１２ｇが滑り止めとして貼り着けられている。
【００１９】
第１実施例に係るシートサイドポケット１０の構造は以上の通りであって、以下にその使用方法を説明する。図１に示すように、ポケット本体１１の底部１１ａの係合溝１１ｃに掛止フレーム１２の係合片１２ｂを嵌合してポケット本体１１に掛止フレーム１２を組み付ける。図４に示すように、シートクッション２０にはその側面の下部を覆い隠すようにシートサイドシールドフレーム２１がシートクッション２０に組み付けられている。シートサイドシールドフレーム２１の上端部２１ａはシートクッション２０の側に屈曲形成されているので、ポケット本体１１に組み付けた掛止フレーム１２のフック片１２ｄの掛止溝１２ｆをシートサイドシールドフレーム２１の屈曲した上端部２１ａに掛止する。掛止フレーム１２は可撓性を有するプラスチック材で成形されるとともに、両アーム片１２ｃが垂下片１２ａの裏側（シートクッション側）へ偏奇するように湾曲し、両脚片１２ｅも垂下片１２ａの裏側（シートクッション側）へ偏奇するように傾斜しているので、垂下片１２ａ及び両脚片１２ｅがシートサイドシールドフレーム２１の表面に弾力的に圧接し、図５に示すように、シートサイドポケット１０がシートクッション２０の側部に設置される。
【００２０】
本実施例に係るシートサイドポケット１０によれば、フック片１２ｄをシートサイドシールドフレーム２１の上端部２１ａに掛止すると可撓性を有する垂下片１２ａと脚片１２ｅがシートサイドシールドフレーム２１の表面に弾力的に圧接するので、車両走行時の振動が加わってもポケット本体１１は動かない。
【００２１】
シートサイドポケット１０は、シートクッション２０の側面とセンターコンソールの間の隙間にポケット本体１１を押し込んで設置するものではなく、掛止フレーム１２でシートサイドシールドフレーム２１にポケット本体１０を取り付けるので、隙間の幅の広狭に拘わらず、ポケット本体１１をしっかりとシートクッション２０の側部に設置できる。
【００２２】
シートサイドポケット１０を使用しないとき、ポケット本体１１と掛止フレーム１２を分離できるので、嵩張らず、グローブボックス等に収納して保管し易く、使い勝手が良い。また、幅や高さの異なる何種類かのポケット本体を用意し、又は高さ、アーム片１２ｃの曲率、脚片１２ｅの傾斜角度等の異なる掛止フレーム１２を用意し、ポケット本体１１と掛止フレーム１２の組み合わせを適宜選択することで、様々な車種のシートクッション２０にシートサイドポケット１０を設置できるようになる。
【実施例２】
【００２３】
本発明の第２実施例に係るシートサイドポケット３０を図６に示す。当該シートサイドポケット３０はポケット本体３１と掛止フレーム３２を備えている。掛止フレーム３２は垂下片３２ａと、垂下片３２ａの上端部に裏側へ屈曲するように設けた接続片３２ｂと、垂下片３２ａの上部から前後方向へ延びる２本のアーム片３２ｃと、各アーム片３２ｃの先端部から下方へ屈曲するように設けたフック片３２ｄを備え、フック片３２ｄには掛止溝３２ｅが形成されている。掛止フレーム３２は接続片３２ｂをビス３３でポケット本体３１の底部３１ａに固定することによりポケット本体３１に組み付けられている。
【００２４】
第２実施例に係るシートサイドポケット３０の構造は以上の通りであって、フック片３２ｄの掛止溝３２ｅをシートサイドシールドフレーム２１の上端部に掛止することにより、可撓性を有する垂下片３２ａがシートサイドシールドフレーム２１の表面に弾力的に圧接する。これにより、図７に示すように、シートサイドポケット３０がシートクッション２０の側部に設置される。
本実施例に係るシートサイドポケット３０では、第１実施例に係るシートサイドポケット１０における掛止フレーム１２から脚片１２ｅを省略したので、掛止フレーム３２の形状が簡素化され、製造コストを低減できる。
【実施例３】
【００２５】
本発明の第３実施例に係るシートサイドポケット４０を図８〜図１０に示す。当該シートサイドポケット４０は箱型のポケット本体４１を備え、ポケット本体４１の底部４１ａに板状の差し込み片４１ｂが垂設され、上面に小物を出し入れする開口４１ｃが形成されている。差し込み片４１ｂはポケット本体４１の底部４１ａの一側から垂下するように設けられている。
【００２６】
本実施例に係るシートサイドポケット４０では、図９に示すように、シートサイドシールドフレーム２１の上端部２１ａとシートクッション２０の側面との間に差し込み片４１ｂを差し込み、差し込み片４１ｂをシートサイドシールドフレーム２１の上端部２１ａとシートクッション２０の側面で挟持することにより、図１０に示すように、ポケット本体４１がシートクッション２０の側部に設置される。
【００２７】
シートサイドポケット４０における差し込み片４１ｂは、厚みが一定であるが、図１１に示す差し込み片４１ｄのように、下端に向けて厚みが漸減する先細り形状を採用することもできる。差し込み片４１ｄを先細り形状にした場合、差し込み片４１ｄの下端部が尖っているので、シートクッション２０とシートサイドシールドフレーム２１が密着していてもその間に差し込み片４１ｄの下端部を差し込み易くなる。また、差し込み片４１ｄの基端部が下端部に比べて厚いので、差し込み片４１ｄをシートクッションシールドフレーム２１とシートクッション２０の間に差し込むと、両者間の隙間が押し広げられる。そのため、差し込み片４１ｄがシートクッションシールドフレーム２１とシートクッション２０で強く挟持されるので、シートサイドポケット４０がしっかりとシートクッション２０の側部に設置できる。
【符号の説明】
【００２８】
１０，３０，４０…シートサイドポケット
１１，３１，４１…ポケット本体
１１ａ，３１ａ，４１ａ…底部
１２，３２…掛止フレーム
１２ａ，３２ａ…垂下片
１２ｃ，３２ｃ…アーム片
１２ｄ，３２ｄ…フック片
１２ｅ…脚片
２０…シートクッション
２１…シートサイドシールドフレーム
４１ｂ，４１ｄ…差し込み片
【図１】
2019026065.tif 000003
【図２】
2019026065.tif 000004
【図３】
2019026065.tif 000005
【図４】
2019026065.tif 000006
【図５】
2019026065.tif 000007
【図６】
2019026065.tif 000008
【図７】
2019026065.tif 000009
【図８】
2019026065.tif 000010
【図９】
2019026065.tif 000011
【図１０】
2019026065.tif 000012
【図１１】
2019026065.tif 000013